(57)【要約】      （修正有）【課題】ヘッドホンのコードのタッチノイズを低減する。【解決手段】ヘッドホン１は、耳介内に放音する本体部２と、ドライバユニットに接続されるコード３と、本体部２から放音方向に対して略反対側へ延出し、かつコード３を内包するブッシング４と、を備え、ブッシング４は、コード３をブッシング４の外部へ引き出すための引き出し位置を調整できるブッシングの開口部１７を有する案内部１４を備えることでコード３の耳垂への接触度合いを調整することでタッチノイズを効果的に低減できる。【選択図】図６
2014168115.tif 000002
【特許請求の範囲】
【請求項１】
音声を出力するドライバユニットを有するとともに耳介内に放音する本体部と、
前記ドライバユニットに接続されたコードと、
前記本体部から放音方向に対して略反対側へ延出し、かつ前記コードを内包するブッシングと、
を備え、
前記ブッシングは、
前記コードを前記ブッシングの外部へ引き出す位置を調節できる案内部を備える
ことを特徴とするヘッドホン。
【請求項２】
前記案内部は、
前記ブッシングの略延出方向に沿って前記ブッシングと前記本体部との接合位置から前記ブッシングの後端までの所定の範囲で開口するブッシングの開口部を有し、
前記コードは、
前記本体部から遠ざかる方向に前記ブッシングの開口部から引き出される
ことを特徴とする請求項１に記載のヘッドホン。
【請求項３】
前記コードは、前記ブッシングが珠間切痕に挾持されるように前記本体部が耳に装着された状態では前記ブッシングの開口部から耳垂方向に引き出される
ことを特徴とする請求項１または２に記載のヘッドホン。
【請求項４】
前記コードは、前記ブッシングの内部で蛇行する
ことを特徴とする請求項１〜４のいずれか１項に記載のヘッドホン。
【請求項５】
前記本体部は、カナル型である、
ことを特徴とする請求項１〜５のいずれか１項に記載のヘッドホン。
【請求項６】
前記ブッシングは、弾性素材からなることを特徴とする請求項１〜６のいずれか１項に記載のヘッドホン。
【発明の詳細な説明】
【技術分野】
【０００１】
本発明は、耳介内に装着するヘッドホンの構造に関する。
【背景技術】
【０００２】
現在、様々なタイプのヘッドホンが用いられており、音声を出力する本体部を耳介内に装着するタイプ（いわゆるインナーイヤー型等）のヘッドホンにおいては、耳乗せタイプ（スープラコンカ型）や耳覆いタイプ（サーカムオーラル型）などがあり、中でもその小ささから扱いの手軽なインナーイヤー型が広く用いられている。
【０００３】
特許文献１には、イヤホン本体の左右方向外側壁の左右方向外面が、下方ほど装着者の左右方向中心側に近付く傾斜面とされ、装着状態でイヤホン本体の左右方向外側壁の左右方向外面をその正規姿勢とすることでコードのイヤホン本体への取付け部が耳の耳珠と耳垂との間の凹部に相当する部分の側方位置で垂下するよう構成されていることを特徴とするインナーイヤー型のイヤホンが開示されている。
【先行技術文献】
【特許文献】
【０００４】
【特許文献１】特開２００８−２８６５７号公報
【発明の概要】
【発明が解決しようとする課題】
【０００５】
しかし、インナーイヤー型のヘッドホンにおいては、他のタイプに比べてコードへの接触時に発生するタッチノイズが外耳道に伝達されやすいという課題がある。
【課題を解決するための手段】
【０００６】
そこで、上記の課題を解決するために、本発明の態様は、音声を出力するドライバユニットを有するとともに耳介（５）内に放音する本体部（２）と、ドライバユニットに接続されるコード（３）と、本体部（２）から放音方向に対して略反対側へ延出し、かつコード（３）を内包するブッシング（４）と、を備え、ブッシング（４）は、コード（３）をブッシング（４）の外部へ引き出す位置を調整できる案内部（１４）をさらに備えるヘッドホンを提供することを目的とする。
【発明の効果】
【０００７】
本発明によれば、ヘッドホンのコードのタッチノイズの外耳道への伝達を低減させることができる。
【図面の簡単な説明】
【０００８】
【図１】本発明の実施の形態１に係るヘッドホンの構成を示す側面図である。
【図２】本発明の実施の形態１に係るヘッドホンの構成を示す正面図である。
【図３】本発明の実施の形態１に係るヘッドホンの構成を示す背面図である。
【図４】本発明の実施の形態１に係るヘッドホンの構成を示す斜視図である。
【図５】本発明の実施の形態１に係るヘッドホンの装着状態を示す図である。
【図６】本発明の実施の形態１に係るヘッドホンの縦切断面形状を示す図である。
【図７】本発明の実施の形態１に係るヘッドホンのブッシングの断面形状を示す図である。
【図８】本発明の実施の形態２に係るヘッドホンのブッシングの断面形状を示す図である。
【図９】本発明の実施の形態２に係るヘッドホンのブッシングの突起部の配置を示す図である。
【図１０】本発明の実施の形態３に係るヘッドホンのブッシングの断面形状を示す図である。
【発明を実施するための形態】
【０００９】
実施の形態１
以下、図面を参照して本発明の実施の形態について説明する。図１〜図４は、本実施の形態に係るヘッドホン１の外観を示している。図１は、ヘッドホン１の側面図であり、図２は、ヘッドホン１の正面図であり、図３は、ヘッドホン１の背面図であり、図４は、ヘッドホン１の斜視図である。実線で示されたコード３はブッシングの最も後端寄りから引き出された場合を示し、破線で示されたコード３はブッシングの最も本体部寄りから引き出された状態をそれぞれ示す。図５は、ヘッドホン１の耳への装着状態を示している。図６はヘッドホンの細長形状の本体部２の中心線とブッシング４の延出方向とが作る面での断面図を示す。
【００１０】
まず、図１〜図７を用いて本実施の形態１のヘッドホン１の概要について説明する。
【００１１】
図１〜図４のように、ヘッドホン１は、本体部２、コード３、及びブッシング４を有する。図５のように、本体部２は使用者の耳介５内に装着される。本体部２は、筺体１１及びイヤーピース１２を有し、音声を出力するドライバユニット２５（後に詳述）等を内蔵する。筺体１１は、中空状の金属または樹脂等からなる。イヤーピース１２は、エラストマ、シリコン等の弾性体からなる。また、イヤーピース１２は、開口部１３を有し、使用者の外耳道６に挿入可能な形状を有する。具体的には、本体部２の主にイヤーピース１２に覆われた部分が外耳道６に挿入されて使用者の耳に装着されることとなる。筺体１１とイヤーピース１２とは一般的に着脱可能である。
【００１２】
なお、本実施の形態においては、一例として、外耳道に筺体１１の一部が挿入されたときにドライバユニット２５が外耳道に包含される構成を採用している。
【００１３】
コード３は、音声信号を本体部２に伝送するものであり、伝送に用いる導電線をエラストマ、塩化ビニル、布などの絶縁体で被覆してなるものである。図６に示すように、ブッシング４は、本体部２から下方及び後方へ斜めに延出する形状（延出部１０）である。延出部１０の下部には、延出部１０の延出方向に沿って細長い溝状の案内部１４が設けられている。コード３は、案内部１４にはめ込まれる。ここで、案内部１４が設けられる範囲は、延出部１０の延出方向に対して任意の範囲でよい。
【００１４】
なお、ブッシング４は、筐体１１内と外部とを連通する通孔３１を内部に有しており、コード３は、この通孔３１に挿入されることで、ブッシング４内に配設される。このとき、ブッシング４を２つ以上に切断し（又は切断したような状態で複数形成し）、その個々のブッシング４でコード３を挟み込むように、個々のブッシング４同士を接着することで、コード３をブッシング４に配設してもよい。なお、コード３が配設されている状態においては、筐体１１内と外部とは、必ずしも空間的に連通している必要はない。
【００１５】
次に、図５と図６を用いてブッシング４についてさらに説明する。図６は、ヘッドホン１の断面形状を示しており、振動板の中心を通りかつ振動板と垂直な線Ｓｋと平行な方向を前後方向とし、特に、放音方向を前方向とする。また、線Ｓｋを通り、ブッシング４を長手方向に均等に切断した場合の切断面（以降、縦切断面と呼ぶ）と平行で、かつ、前後方向と垂直な方向を上下方向とし、特に筐体１１側からブッシング４側へ向かう方向を下方向とする。さらに線Ｓｋと交差して本体内部２からブッシング４にコード３が延出する方向を線Ｓａとする。また、線Ｓｋとそれに交差する線Ｓａが作る面に対して垂直な方向を左右方向とし、特に紙面手前へ向かう方向を右方向とする（図示せず）。
【００１６】
ブッシング４は、コード３と筺体１１とを接続する部分に設けられ、筺体１１内と外部とを連通させる。ブッシング４は、エラストマ、シリコン等の弾性体からなり、図５に示すように、使用者の珠間切痕７に挾持されるように触れながら装着可能な形状を有する。
【００１７】
このように、ブッシング４が珠間切痕７に挾持されることにより、装着感及び装着安定性を向上させることができる。なお、ここまでブッシング４の内部の通孔３１にコード３を配設する構造について説明したが、通孔３１を設けずにコード３を本体部２の外部に引き出してからブッシング４の内部に配設しても、装着感及び装着安定性を向上させることができる。
【００１８】
延出部１０の下部は、コード３を引き出すために、延出部１０の本体に近い側から後端までの範囲で開口させた案内部１４を形成する。案内部１４の細長い形状の開口部をブッシングの開口部１７とする。案内部１４の幅はコード３の直径より大きく、ブッシングの開口部１７からブッシング４の内部方向への深さはコード３の直径の半分より深い。また、ブッシングの開口部１７は、案内部１４の細長い溝状の縁の内壁の左右方向のうちの少なくとも一方が、本体に近い側から後端までの範囲で連続的に縦切断面に向かって盛り上がることで、ブッシングの開口部１７の開口幅をコード３の直径より狭める構造をとる。これによって、案内部１４はコード３を脱落しないように保持できる。
【００１９】
ここで、コード３は、延出部１０の延出方向に沿った任意の位置で外部に屈曲させて、コード３の直径より狭いブッシングの開口部１７で挾持され、引き出される位置が決まる。
【００２０】
これらの構成によって、筐体１１から通孔３１を通って配設されたコード３を延出部１０の後端までの間の任意の位置で挾持して下方へ引き出すことができ、さらに引き出し位置を調節することで耳垂８への接触度合いを調整できる。これによって、装着感を調整できると共に、さまざまな使用者の耳でコード３が耳垂８に接触しやすくなり、振動がより吸収・分散されやすくなることでタッチノイズ低減効果を高くできる。
【００２１】
また、ブッシング４は、ブッシング４を下方及び後方へ斜めに延出させる形状（延出部１０）にしているため、珠間切痕７へ接触したときに、様々な使用者において、珠間切痕７によって上方に押されるようにその大きさが設計されている。そして、ブッシング４の後端部１５及び延出部１０と、筺体１１との間には、隙間１６が形成されている。この隙間１６を設けたことによって、使用者の耳の形状に合わせてブッシング４が変位するため、多くの使用者において、コード３が延出する位置と、使用者の耳垂８や頬等との相対的な位置が常にほぼ一定となり、様々な使用者においてもコード３が人体に接触しやすくでき、タッチノイズ低減効果を高くできる。
【００２２】
また、隙間１６の幅が後方に向かって徐々に大きくなるようにしているため、後端部１５に近い部分ほど、弱い力でも変位しやすいようになっており、装着時に隙間１６等がクッション性を発揮する。
【００２３】
以上のように、本実施の形態のブッシング４は、多くの使用者において、ブッシング４の下面が珠間切痕７と接触するように構成されており、装着感を大きく向上することができる。
【００２４】
また、ブッシング４の後端部１５と筺体１１との間に隙間１６等が形成されていることにより、後端部１５の変動の自由度が増加するため、上記引張荷重がより吸収・分散されやすくなる。これにより、コードの保護作用が更に向上する。
【００２５】
次に、図６を用いて、ヘッドホン１の内部構造について詳細に説明する。なお、ブッシング４の部分的な拡大図を以降の実施の形態に併せて図示し、それを用いて説明を進める。
【００２６】
筺体１１は、イヤーピース１２側の端部に形成された第１の開口部２１及び下部に形成された第２の開口部２２を有する。第１の開口部２１付近には、振動板、ボイスコイル、マグネット等からなるドライバユニット２５が配置されている。第２の開口部２２には、ブッシング４の上端部が固定されている。コード３は、入力される音声信号をドライバユニット２５へ伝送する。コード３の先端部から露出した導電線３２は、ドライバユニット２５のボイスコイル等に接続され、ドライバユニット２５は、コード３を介して入力される音声信号に基づく音声を放音（出力）する。そして、コード３は、ドライバユニット２５から第２の開口部２２に固定されたブッシング４に形成された通孔３１を通り、ブッシング４に配設される。
【００２７】
次に、ブッシング４へのコード３の配設状態について詳細に説明する。所定の基準線Ｓｋ(例えばドライバユニット２５の振動板の中心を通り、かつ振動板と垂直な線)上の筐体１１内にコード３の端が配置されている。コード３は、筐体１１の内部から通孔３１を通じてＳａ方向に沿ってブッシング４に埋設され、案内部１４へ引き出される。それから、第１の屈曲部４１にてＳｂ方向へ屈曲する。Ｓｂ方向へ屈曲したコード３は、延出部１０に設けられたＳｂ方向に延出した案内部１４に沿って挾持される。案内部１４は、ブッシングの延出方向でかつヘッドホンの下方向に開口する。ブッシングの開口部１７の延出方向に垂直な方向の開口幅がコード３の直径より狭い間隙になるように、突起部１８ａを縦切断面に向かって突出している。コード３は、突起部１８ａによって挾持されるため、案内部１４から外れることはない。
【００２８】
実施の形態１のブッシング４の拡大図を示す図７を用いて、コード３の案内部１４への配設の詳細について説明する。図７（ａ）にブッシング４の延出部１０の縦切断面を示す。ここで、ブッシング４と筐体１１（図示しない）の接合箇所から見た延出部１０と案内部１４の端をそれぞれ延出部１０の後端、案内部１４の後端と呼ぶことにする。筐体１１から通孔３１に引き出されたコード３は、第１の屈曲部４１で屈曲し、延出部１０の後端までの任意の距離だけＳｂ方向に延出し、第２の屈曲部４２でＳｃ下方向に屈曲することでブッシング４の外部へ引き出される。第２の屈曲部４２で屈曲したコード３は、コード３の直径より幅の狭い突起部１８ａによって挾持される。コード３が案内部１４に支持され、案内部１４の後端部で屈曲してブッシング４の外部へ引き出されている場合の案内部１４の延出方向を法線とする切断面Ａ−Ａ‘を図７（ｂ）に示す。
【００２９】
コード３は、ブッシング４の素材が弾性体であればその弾性力で挾持され、ブッシング４の素材がコード３の被覆よりも剛であれば被覆の弾性力で挾持される。この構造によって、第１の屈曲部４１から案内部１４の後端までの任意の箇所でブッシング４の外部へコード３を引き出すことができる。これによってコード３は、使用者の耳垂８に接触するように自由に調節される。また、コード３は第１の屈曲部で屈曲せずに、Ｓａ方向に引き出されてもよい。
【００３０】
このとき、ドライバユニット２１から引き出されたコード３は、第１の屈曲部４１と第２の屈曲部４２の２箇所の屈曲によって蛇行する。コード３が蛇行することによって、コード３に引張荷重（コード３を筺体１１から引き抜く方向への荷重）等が掛かった場合に、当該荷重が珠間切痕７を含む人体、案内部１４によってコード３を挾持している箇所、及び、ブッシング４により吸収・分散される効果が発揮され、コード３と本体部２との接続部分の保護作用を向上させることができる。これによって、タッチノイズの外耳道への伝達を低減できる。
【００３１】
また、一般的にコード３を伝わる振動は別の素材に触れる箇所や面積が多くなるほど振動は吸収されやすくなってコード３を伝達するタッチノイズは低減されるため、コード３が蛇行しながらブッシング４と接触することにより、コード３とブッシング４との接触面積が広くなり、コード３を伝わる振動がブッシング４により吸収・分散されて、さらにタッチノイズが外耳道に伝達することを低減することができる。
【００３２】
以上のように、本実施の形態のヘッドホンによれば、ブッシング４からの引き出し位置を調整することで使用者の耳垂８に確実に接触させることで、伝播する振動をより吸収・分散する。これによって、コード３が歩行時などに物体に接触することにより生ずるタッチノイズが外耳道へ伝達することを従来のヘッドホンより低減することができる。
【００３３】
また、本発明において「蛇行」とは、種々の形状を含むものである。コード３がブッシング４内において少なくとも一度屈曲すれば、従来よりもタッチノイズの外耳道への伝達を低減することができる。
さらに、コード３の屈曲回数が多いほど、ブッシング４とコード３との接触面積を広くすることができるため、タッチノイズの外耳道への伝達をより低減できる。また、ヘッドホン１の左右方向に蛇行するように案内部１４を構成してもよい（図示しない）。
【００３４】
実施の形態２
図８は、本発明の実施の形態２に係るヘッドホン５１のブッシング４４を拡大したときの縦切断面を示している。以下、本発明の他の実施の形態２について図面を参照して説明する。上記実施の形態１と同一又は同様の箇所については、同一の符号を付してその説明を省略する。
【００３５】
実施の形態１ではコード３の引き出し位置を無段階に調整する例を示したが、段階的に引き出し位置を調整してもよく、その具体例を示す。
【００３６】
図８（ａ）に、コード３が案内部１４に支持され、案内部１４の後端部で屈曲してブッシング４４の外部へ引き出されている場合のブッシング４４の延出部１０の縦切断面を示す。実施の形態１と比較して、ブッシングの開口部１７の左右方向の対向した内壁のうち、少なくとも一方の内壁が縦切断面に向かって盛り上がる突起部１８ｂが形成されていることが特徴的である。ここで、突起部１８ｂは、ブッシングの開口部１７の延出方向に沿って間欠的に配置されて、かつ突起部１８ｂによってコード３の直径より開口幅が狭くなっている。
【００３７】
図８（ｂ）にコード３が案内部１４に支持されている場合の案内部１４の延出方向を法線とした突起部１８ｂの直上を切断する切断面Ａ−Ａ‘を、図８（ｃ）にコード３が案内部１４に支持されている場合の案内部１４の延出方向を法線とした突起部１８ｂのない部分の直上を切断する切断面Ｂ−Ｂ‘を、それぞれ示す。
【００３８】
ブッシングの開口部１７の内壁のうち突起部１８ｂが無い箇所は、コード３の直径と同じか僅かに広い開口幅にすることでコード３が引き出されやすい構造となる。これによって、延出部１０の延出方向に段階的にコード３の引き出し箇所を選択できるようにする。突起部１８ｂの間隔は、片側のブッシングの開口部１７に配置された２つの突起部１８ｂでコード３を支持するため、間隔はコード３の曲率を考慮してであればよく、延出部１０の延出方向には不等間隔でもよい。
【００３９】
案内部１４へのコード３の配設をドライバユニット２５側から見ながら説明する。コード３の耳垂方向への引き出し方法には、次の３つの方法がある。第１に、第１の屈曲部４１にてＳｂ方向へ屈曲させずに引き出す方法がある。第２に、第１の屈曲部４１にてＳｂ方向へ屈曲させてから、延出部１０の最も後端で屈曲させて引き出す方法がある。第３に、第１の屈曲部４１にてＳｂ方向に屈曲させてから、延出部１０後端までの間で屈曲させて引き出す方法がある。これらの引出し方法についてそれぞれ説明する。
【００４０】
まず、第１の引出し方法について説明する。筐体１１から引き出されたコード３は、案内部の筐体１１との接合箇所に最も近い開口部から延出部１０の外部へ引き出される。
【００４１】
次に、第２の引出し方法について説明する。第１の屈曲部４１でＳｂ方向へコード３を延出するまでは実施の形態１と同様である。Ｓｂ方向へ延出されたコード３は、最も後端の突起部１８ｂの円弧に沿って屈曲し、さらにコード３の外周側が案内部１４の後端の内壁に沿ってＳｃ方向に屈曲されて、延出部１０の外部へ引き出される。これによって、延出部１０のうち耳から最も離れた位置から延出部１０の外部へ引き出すことができる。このとき、コード３はブッシングの開口部１７の両内壁の２点、両内壁に配置されている全４つの突起部１８ｂの、計６点によって挾持される。
【００４２】
最後に、第３の引出し方法について説明する。Ｓｂ方向へコード３を延出するまでは実施の形態１と同様である。Ｓｂ方向へ延出されたコード３は、ある突起部１８ｂに沿って第２の屈曲点で屈曲し、延出部１０の外部へ引き出される。これによって、延出部１０の中ほどの位置から延出部１０の外部へ引き出すことができる。
【００４３】
上記の３つの引き出し方法によって、コード３は、使用者の耳垂８に接触するように段階的に調節される。コード３の引き出し位置を段階的に調整できることで、使用者が自分の耳に適した引き出し位置を段階的に認識しやすいという効果もある。
【００４４】
以上のように、突起部１８ｂでコード３が屈曲されることで、引き出し位置を段階的に調節でき、耳垂８への接触度合いを段階的に調整できる。
また、コード３の蛇行した配置による効果は実施の形態１と同様である。
【００４５】
実施の形態２の変形例
また、突起部１８ｂは、ブッシングの開口部１７がコード３の直径より狭くなるのであれば、案内部１４の延出方向に対して左右どちらか一方のブッシングの開口部１７にだけに配置されてもよい。図示しないが、図８（ｂ）の両側に配置された突起部１８ｂをどちらか一方だけにすることに相当する。これによって、形状を簡略化しても挾持でき、同様の効果が得られる。
【００４６】
また、図９に示すように、突起部１８ｂは、ブッシングの開口部１７の左右の内壁に沿って互いに対向しないように配置されてもよい。図９（ａ）に示すように、案内部１４から引き出されるコード３は、ブッシングの開口部１７の長手方向の両内壁の２点と、延出するブッシングの開口部１７の一方の内壁の延出部１０の後端の側に配置された突起部１８ｂの１点と、延出するブッシングの開口部１７の他方の内壁の筐体部１１の側に配置された突起部１８ｂの１点と、の４点によって挾持してもよい。これによって、調整ピッチが狭く突起部１８ｂが小さくなりすぎないように成形できる。
【００４７】
また、図９（ｂ）に示すように、例えば、ブッシングの開口部１７の延出方向に向かって左側に突起部１８ｂを配置してその正面にコード３を配置し、突起部１８ｂと対向するブッシングの開口部１７の内壁の２点でコード３を挾持する。次に、延出方向に対してブッシングの開口部１７の右側に突起部１８ｂをコード３の前後を挟むように配置して延出方向にずれないようにする。この合計４点で挾持してもよい。この引き出し方法によって、引出し位置をより細かく、具体的には実施の形態２の半分のピッチで設定できる。
【００４８】
実施の形態３
図１０は、本発明の実施の形態３に係るヘッドホン６１のブッシング４５を拡大したときの縦切断面を示している。以下、本発明の実施の形態３について図面を参照して説明する。上記実施の形態１・２と同一、または同様の箇所については、同一の符号を付してその説明を省略する。
【００４９】
実施の形態１、２では、延出部１０の外部へのコード３の引き出し方向を特定しない構造だったが、引き出し方向を特定してもよく、その具体例を示す。
【００５０】
実施の形態２と比較して、突起部１８ｃが耳垂方向を向いた細長い形状である点と、案内部１４の後端の内壁が耳垂方向に向いている点と、延出部１０の本体部２の側の内壁が耳垂方向に向かって傾斜している点が特徴的である。突起部１８ｃが間欠的に配置されている点と、案内部１４の側面内壁に設けられた複数個の突起部１８ｃの配置の規則性は実施の形態２と同様である。以下、詳細を説明する。
【００５１】
図１０（ａ）に示すように、ブッシングの開口部１７から案内部１４の底面までの距離は、コード３を案内部１４の中で湾曲させるために、コード３の最小曲げ半径より大きくなっている。また、案内部１４の後端の内壁と本体部２の側の内壁は、それぞれ耳垂方向に向いている。ブッシングの開口部１７への突起部１８ｃの配置間隔などは、実施の形態２と同様である。突起部１８ｃは細長い形状であり、その長軸が耳垂方向を示すＳｃ方向に向いている。突起部１８ｃの案内部１４の底面に面する側は円弧状になっており、コード３が円弧に沿って屈曲する。長軸方向には直線形状が形成される。
【００５２】
案内部１４へのコード３の配設をドライバユニット２５側から見ながら説明する。コード３の耳垂方向への引き出し方法には、次の３つの方法がある。第１に、第１の屈曲部４１にてＳｂ方向へ屈曲させずに耳垂方向へ引き出す方法がある。第２に、第１の屈曲部４１にてＳｂ方向へ屈曲させてから、延出部１０の最も後端で屈曲させて耳垂方向へ引き出す方法がある。第３に、第１の屈曲部４１にてＳｂ方向に屈曲させてから、延出部１０後端までの間で屈曲させて耳垂方向へ引き出す方法がある。これらの引出し方法についてそれぞれ説明する。
【００５３】
まず、第１の引出し方法について説明する。筐体１１から引き出されたコード３は、ブッシング４５の筐体１１との接合箇所に最も近い突起部１８ｃの長軸方向の直線部分に沿ってＳｃ方向にコード３を規制され、耳垂方向へ引き出される。また、最も本体部２の側の内壁もＳｃ方向に傾斜しているため、コード３の耳垂方向への延出を妨げない。これによって、延出部１０のうち耳に一番近い位置から耳垂方向へ引き出すことができる。
【００５４】
次に、第２の引出し方法について説明する。Ｓｂ方向へコード３を延出するまでは実施の形態２と同様である。Ｓｂ方向へ延出されたコード３は、最も後端の突起部１８ｃの円弧に沿って屈曲し、さらに屈曲したコード３の外周側が案内部１４の後端の内壁に沿ってＳｃ方向に規制され、耳垂方向へ引き出される。これによって、延出部１０のうち耳から最も離れた位置から耳垂方向へ引き出すことができる。
【００５５】
最後に、第３の引出し方法について説明する。Ｓｂ方向へコード３を延出するまでは実施の形態２と同様である。Ｓｂ方向へ延出されたコード３は、ある突起部１８の円弧に沿って屈曲し、さらにコード３の外周側が延出方向に１つ隣の突起部１８の長軸方向の直線部分に沿ってＳｃ方向に規制され、耳垂方向へ引き出される。これによって、延出部１０の中ほどの位置から耳垂方向へ引き出すことができる。
【００５６】
上記の３つの引き出し方法によって、ブッシング４５の筐体１１の接合部分に近い側と延出部１０後端までの間で、延出部１０の任意の位置から耳垂方向に向けてコード３を段階的に引き出すことができる。これによって、実施の形態２の効果に加えて、確実に耳垂８に接触させることができ、様々な耳の形に対応して耳垂８への接触度合いを調整し、タッチノイズを軽減する効果を強く発揮する。
また、コード３の蛇行した配置による効果は実施の形態１と同様である。
【００５７】
また、実施の形態２の変形例の構成を実施の形態３に対しても採用することができる。
【００５８】
なお、突起部１８ａ、１８ｂ、１８ｃは、コード３が延出方向にずれないように縦切断面に向かって十分に突出していれば、断面形状が半円形、多角形、またはそれより複雑な形状でもよい。
【００５９】
尚、本発明は上記実施の形態に限られるものではなく、趣旨を逸脱しない範囲で適宜変更することが可能なものである。例えば、上記実施の形態においては、本体部２が外耳道６に挿入されるいわゆるカナル型の構成を示したが、本発明はこれに限定されるものではなく、例えば本体部を外耳道６の入口の外耳５部分に引っ掛けるような、カナル型以外のインナーイヤー型ヘッドホン等にも適用できるものである。
また、同じカナル型であってもドライバユニットが先端にあるものにかぎらず、耳介の外部にあるものであっても同様に適応できる。
【符号の説明】
【００６０】
１，５１，６１  ヘッドホン
２  本体部
３  コード
４，４４、４５  ブッシング
５  耳介
６  外耳道
７  珠間切痕
８  耳垂
１０  延出部
１１  筺体
１２  イヤーピース
１３  開口部
１４  案内部
１５  後端部
１６  隙間
１７  ブッシングの開口部
１８ａ、１８ｂ、１８ｃ  突起部
２１  第１の開口部
２２  第２の開口部
２５  ドライバユニット
３１  通孔
３２  導電線
【図１】
2014168115.tif 000003
【図２】
2014168115.tif 000004
【図３】
2014168115.tif 000005
【図４】
2014168115.tif 000006
【図５】
2014168115.tif 000007
【図６】
2014168115.tif 000008
【図７】
2014168115.tif 000009
【図８】
2014168115.tif 000010
【図９】
2014168115.tif 000011
【図１０】
2014168115.tif 000012